【事件の表示】
　商願２０１３−　６１２３１拒絶査定不服審判事件について，次のとおり審決する。
【結　論】
　本件審判の請求は，成り立たない。
【理　由】
第１　本願商標
　本願商標は，「スマートカメラリュック」の片仮名を標準文字で表してなり，第１８類に属する願書記載のとおりの商品を指定商品として，平成２５年８月６日に登録出願されたものであるが，その後，指定商品については，当審における同２６年７月１６日付けの手続補正書により，第１８類「かばん金具，がま口口金，蹄鉄，皮革製包装容器，愛玩動物用被服類，携帯用化粧道具入れ，傘，ステッキ，つえ，つえ金具，つえの柄，リュックサック，リュックサック用のストラップ，リュックサック用肩掛けベルト」と補正されたものである。
第２　原査定の拒絶の理由
　原査定は，「本願商標をその指定商品中の『リュックサック』以外の『かばん類，袋物』に使用すると，これに接する取引者・需要者は，その商品があたかも『リュックサック』であるかのように商品の品質について誤認を生ずるおそれがあるから，本願商標は，商標法第４条第１項第１６号に該当する。」旨認定，判断し，本願を拒絶したものである。
第３　当審における審尋
　当審において，平成２７年３月３１日付けで審尋を発し，期間を指定して，請求人に意見を述べる機会を与えた。
１　審尋の要旨
　当審は，本願の補正後の指定商品中「リュックサック，リュックサック用のストラップ，リュックサック用肩掛けベルト」（以下「リュックサック関連商品」という。）との関係においては，本願商標は，原審が平成２５年１１月２９日付けで通知した拒絶の理由，すなわち商標法第３条第１項第３号及び同法第４条第１項第１６号に該当するものと判断する。 
　その理由は，以下のとおりである。
２　本願商標の商標法第３条第１項第３号及び同法第４条第１項第１６号該当性 
（１）本願商標及びその指定商品 
　本願商標は，「スマートカメラリュック」の文字を標準文字で表してなるところ，その指定商品については，前記１（２）のとおりに補正されたものである。 
（２）本願商標の構成について 
　本願商標は，前記のとおり，「スマートカメラリュック」の文字を標準文字で一連に横書きしてなるものであるが，語の最小の意味単位からみて，これが「スマート」，「カメラ」及び「リュック」の３語からなることは明らかである。 
　このうち，「スマート」は「からだつきや物の形が細くすらりとして恰好がよいさま」や「身なりや動作などが洗練されて粋なさま」の意味を，「カメラ」は「針穴・レンズ・反射鏡などの光学系を用いて，被写体の映像を暗箱内のすりガラス・紙・感光材料・撮像素子などの面上に結ばせる装置」の意味を，「リュック」は「リュックサックの略」の意味を，それぞれ有する語であって（以上，広辞苑第６版），いずれもよく知られている語であると認められる。
　ところで，本願商標は，全体で１１文字・１０音の３語からなる比較的冗長なものであるから，本願商標に接した取引者・需要者は，相応の意義を有する単位で区切って本願商標を観察するものと考えられる。そして，「スマート」，「カメラ」及び「リュック」の３語は，通常，語頭から順次隣接する語と結び付いて認識されるか否かが問題となるところ，本願商標の指定商品中のリュックサック関連商品を取り扱う商品「かばん類，袋物」の分野においては，後述のとおり，これに接する取引者・需要者は，本願商標が，「スマート」と「カメラリュック」との２語を結合したとの印象を受けるものと認められる。
（３）認定事実 
　本願商標の指定商品中のリュックサック関連商品を取り扱う商品「かばん類，袋物」の分野において，以下に記載の各事実が認められる（なお，本審尋時には記載していた各ウェブサイトのアドレス情報は，その記載を省略した。）。 
　ア　「カメラバッグ」について 
（ア）「カメラバッグと初心道具のお店　オリエンタルホビー」のウェブサイトにおいて，「写真用品専門店オリエンタルホビー的カメラバッグの選び方」の見出しの下，「カメラバッグの大きな役割はカメラ機材を【保護】【携行】【整理】することです。」の記載があるほか，「２．カメラバッグタイプから選ぶ」の項には，「ショルダーバッグ」「バックパック・リュック」「斜め掛け・スリング」「ローラー・キャリー」「カメラポーチ」などの記載がある。 
（イ）「デジタル雑貨屋」のウェブサイトにおいて，「デジタル雑貨屋的カメラバッグの選び方」の見出しの下，「１　カメラバッグのタイプから選ぶ」の項には，「リュックタイプ」「ボディバッグ」「ショルダータイプ」「インナータイプ」「キャリーバッグタイプ」などの記載がある。 
（ウ）「価格．ｃｏｍ」のウェブサイトにおいて，カテゴリーとして「ホーム＞カメラ＞カメラバッグ＞エツミ（ＥＴＳＵＭＩ）＞コールマン カメラショルダーバッグ　ＣＯ−８７００［ブラック］」の記載がある。 
（エ）「Ｎｉｋｏｎ　Ｄｉｒｅｃｔ」のウェブサイトにおいて，「Ｎｉｋｏｎ　ｘ　ＰＯＲＴＥＲ　ＧＯＲＥ（Ｒ）防水カメラショルダーバッグについて／日本ゴア社の防水技術を採用した、高度な防水耐久性と撥水性を持つ、世界初※の縫い目のある防水カメラバッグ！」の記載がある。 
（オ）「ヨドバシ．ｃｏｍ」のウェブサイトにおいて，カテゴリー「トップ＞カメラ＞アクセサリー＞カメラバッグ・ケース＞ウエストバッグ・ボディバッグ」の下，「モンベル　ｍｏｎｔ−ｂｅｌｌ　カメラウエストバッグ　ブラック」の記載がある。 
（カ）「カメラのライフスタイルを提供するセレクトショップｏｎ　ａｎｄ　ｏｎ」のウェブサイトにおいて，「商品カテゴリ一覧」の「カメラファッション」下に，「カメラリュック」「カメラショルダーバッグ」「カメラトートバッグ」などの記載があるほか，例えば，「カメラトートバッグ」について，「特に海外で人気の『Ａ−ＭｏＤｅ』のカメラアイテムは、シンプルかつ収納力もあり、オススメのカメラバッグです。」の記載がある。 
　イ　「カメラリュック」の語について 
（ア）「ｗｗｗ．ｙｏｄｏｂａｓｈｉ．ｃｏｍ」のウェブサイトにおいて，カテゴリー「トップ＞カメラ＞アクセサリー＞カメラバッグ・ケース＞カメラリュック」の下，カメラ用のリュックサックの写真が多数掲載されている。 
（イ）「ｎｉｋｋｅｉ　ＢＰ　セレクション」のウェブサイトにおいて，「ビジネス用途にも使えるスマートなデザイン・・・カメラリュック　カメラ機材はもちろんノートＰＣやタブレットの専用収納スペース装備。」及び「◆　この商品のポイント　◆／■カメラバッグらしくないデザインでビジネスシーンでも利用できる」の記載とともに，カメラ用のリュックサックの写真が掲載されている。 
（ウ）「Ｂｅｃｏｍｅ．ｃｏ．ｊｐ 」のウェブサイトにおいて，「ＫＡＴＡカメラリュック・・・三脚装着可能　レインカバー付属　ブラック・・・」の記載とともに，カメラ用のリュックサックの写真が掲載されている。 
（エ）「ＳＡＮＷＡ　ＤＩＲＥＣＴ」のウェブサイトにおいて，カテゴリー「ＴＯＰ＞商品一覧＞アクセサリ＞カメラアクセサリー＞カメラバッグ・カメラケース＞カメラバッグ＞２００−ＤＧＢＧ００２」の下，「キャスター付カメラバッグ（カメラリュック・一眼＆レンズ収納対応・トローリー・大容量）」及び「移動や持ち運びに便利な、キャスター付きカメラバッグ。大容量でカメラ本体や替えレンズなども収納可能。キャリー移動とリュックの２ＷＡＹで持ち運び可能。【ＷＥＢ限定商品】」の記載とともに，カメラ用のリュックサックの写真が掲載されている。 
（オ）「Ｔａｒｇｕｓ」のウェブサイトにおいて，「環境に優しい１６インチ　ノートＰＣ搭載可能　カメラリュック　ＥｃｏＳｍａｒｔ」の記載とともに，カメラ用のリュックサックの写真が掲載されている。 
（カ）「Ｋｅｎｋｏ　Ｔｏｋｉｎａ」のウェブサイトにおいて，カテゴリー「ホーム》製品・サポート》カメラ・撮影用品》カメラバッグ・ケース》アオスタ》カメラバッグ》フォンタナ」の下，「すらりと一線走るカラーラインが特徴のフォンタナ・シリーズにリュックタイプが新たにラインナップ。／上部、側面から機材を取り出せるマルチアクセスのカメラリュックです。」の記載とともに，カメラ用のリュックサックの写真が掲載されている。 
（キ）「家電通販Ｐｒｅｍｏａ（プレモア）」のウェブサイトにおいて，カテゴリー「ホーム＞カメラ＞カメラバッグ類」の下，「タムラック　＃５７８８−１０ブラック［カメラリュック］」及び「商品説明／★　米国タムラック社製のカメラ用リュック。」の記載とともに，カメラ用のリュックサックの写真が掲載されている。 
（ク）「ａｍａｚｏｎ．ｃｏ．ｊｐ」のウェブサイトにおいて，カテゴリー「家電＆カメラ＞カメラ＞アクセサリ＞カメラ用アクセサリ＞カメラバック・ケース」の下，「【国内正規品】Ｌｏｗｅｐｒｏカメラリュック　フリップサイド３００　１３Ｌ　三脚取付可　ブラック　３５１８５３」の記載とともに，カメラ用のリュックサックの写真が掲載されている。  
（ケ）「ａｍａｚｏｎ．ｃｏ．ｊｐ」のウェブサイトにおいて，カテゴリー「家電＆カメラ＞カメラ＞アクセサリ＞カメラ用アクセサリ＞カメラバック・ケース」の下，「ＫＡＴＡカメラリュック　Ｄ−ｌｉｇｈｔコレクション　８．４Ｌ　ブラック　ＫＴ　ＤＬ−３Ｎ１−２０」の記載とともに，カメラ用のリュックサックの写真が掲載されている。 
（コ）「ａｍａｚｏｎ．ｃｏ．ｊｐ」のウェブサイトにおいて，カテゴリー「家電＆カメラ＞カメラ＞アクセサリ＞カメラ用アクセサリ＞カメラバック・ケース」の下，「【アマゾンオリジナル】ＥＴＳＵＭＩカメラリュック　アペックスキャニオンミニ　１１Ｌ　レインカバー/三脚装着可能 ブラック／レッド　ＥＴＭ−８３４０９」の記載とともに，カメラ用のリュックサックの写真が掲載されている。 
（サ）「ａｍａｚｏｎ．ｃｏ．ｊｐ」のウェブサイトにおいて，カテゴリー「家電＆カメラ＞カメラ＞アクセサリ＞カメラ用アクセサリ＞カメラバック・ケース」の下，「ＶＡＮＧＵＡＲＤ　カメラリュック　Ｋｅｎｌｉｎｅ　３０．５Ｌ　レインカバー　三脚脱着可能　パープル　Ｋｉｎｒａｙ　５３ＰＲ」の記載とともに，カメラ用のリュックサックの写真が掲載されている。 
　ウ　「スマート○○（商品名）」の語について 
（ア）「スマートリュック」の語について 
　ａ　「ライトアップショッピングクラブ」のウェブサイトにおいて，「＜オロビアンコ＞ポケットたくさん・スマートリュック／レザー使いで上質感をプラスした、ポケットいっぱいスリムなお洒落リュック」の記載がある。
　ｂ　「ライトアップショッピングクラブ」のウェブサイトにおいて，「＜ビジィ・ビーバー＞旅を支える大人のスマートリュック／大好評“旅を支える”シリーズ待望のリュックタイプ」及び「旅に便利な機能的なデザインで絶大な支持を集める“旅を支える”シリーズに、リュックが登場しました。」の記載がある。 
　ｃ　「ａｍａｚｏｎ．ｃｏ．ｊｐ」のウェブサイトにおいて，「飾らないスマートリュック！　シンプル　メンズ　デイパック　サック通勤通学」の記載がある。 
（イ）「スマートショルダーバッグ」の語について 
「ＷＯＲＬＤ　ＯＮＬＩＮＥ　ＳＴＯＲＥ」のウェブサイトにおいて，カテゴリー「トップ＞ＯＰＡＱＵＥ＞バッグ＞ショルダーバッグ＞スマートショルダーバッグ」の下，「ｒｏｕｇｅｌｏｕｐ（ルージュルー）／スマートショルダーバッグ」及び「コンパクトなショルダーバッグが入荷しました。」の記載がある。 
（ウ）「スマートバッグ」の語について 
　ａ　「カタログ通販ニッセンオンライン」のウェブサイトにおいて，「たっぷり入るスマートバッグ」及び「商品説明／たっぷり容量ながらわずか３５０ｇで超軽量。」の記載がある。 
　ｂ　「キナリノ」のウェブサイトにおいて，「マリメッコのスマートバッグで、エコをもっとかわいく。もっと楽しく。」及び「お買い物や旅行の時にとっても重宝するエコバッグ。色々なメーカーのものや種類がありますが、持つならやっぱりデザインも柄も可愛いほうがいいですよね。今回はとってもおしゃれでかわいいマリメッコのスマートバッグをご紹介します。」の記載がある。 
　エ　「スマート」の語について 
（ア）「Ａｎｔｅｎｎａ」のウェブサイトにおいて，「“ちょうどいい”サイズ感が魅力のスマートなバッグが新登場」及び「『書類は折らずに収納したいけど、かさばりすぎるのもＮＧ！』そんな働く女性のニーズに応えたトートバッグ。Ａ４ファイルが、ペットボトルが、“ぴったり”収まる、ちょうどいいサイズ感を実現しました。」の記載がある。 
（イ）「Ｙａｍａｍｏｔｏメンズバックセレクトショップ」のウェブサイトにおいて，「 ＜Ｂ４対応＞ざっくり使えるスマートなバッグ ハードな印象を持ちつつもソフトな形状のバッグです。しかも見た目のスリムさを裏切る収納力も持っています。」の記載とともに商品「鞄」の写真が掲載されている。 
（ウ）「Ｆｅｌｉｓｉ」のウェブサイトにおいて，「やわらかい角、と名づけられたシリーズ。柔らかなシュリンクレザーと独特な縫製を採用し、パッチ部分を広げるとオーバーナイターとしても使える大容量のボストンバッグ。また、パッチ部分を畳むと驚くほどスマートな鞄となり・・・」の記載とともに商品「鞄」の写真が掲載されている。 
（エ）「日経トレンディネット」のウェブサイトにおいて，「ふだん使いできるスマートな北欧デザインが魅力、メッセンジャータイプのカメラバッグ」の見出しの下，「カメラバッグといえば、大型の一眼レフカメラや交換レンズ数本を衝撃から保護しながら持ち歩けるショルダータイプやバックパックタイプの製品が人気を集めていた。だが、近ごろはミラーレス一眼や高級コンパクト機を愛用する人が増え、以前よりも機材がコンパクトに済むようになり、より軽快に持ち運べる小型のカメラバッグを求める人が増えている。そのような人にお薦めなのが、スウェーデンのTHULE（スーリ）が手がけるメッセンジャーバッグタイプのカメラバッグ。過剰な装飾を省いたスマートなデザインに、はっ水性を備えた軽く丈夫な素材が使われており、見た目も実用性も十分な仕上がりだ。」の記載がある。 
（オ）「ｍｕｒａｕｃｈｉ．ｃｏｍ」のウェブサイトにおいて，「カメラバッグには見えない、スマートなデザインの女性向けのハンドバッグ」の記載がある。 
（カ）「Ｌｏｗｅｐｒｏ」のウェブサイトにおいて，商品「ロープロ　フリップサイドスポート　２０Ｌ　ＡＷ」についての「製品概要」の項に，「軽量で専門的なカメラデイパックで、外出先での機材へのアクセスを確保する・・・フリップサイド　スポートＡＷは、冒険を追求する写真家のために設計されたバッグです。スマートで目立たない形をした軽量のフォトデイパックは、野外で活発に行動するスポーツ写真家が求めるオプションを提供します。」の記載がある。 
（キ）「英国製ビリンガム（Ｂｉｌｌｉｎｇｈａｍ）ハドレーのカメラバッグを選んだ：便利なものって何だろう？」のウェブサイトにおいて，「スマートなカメラバッグは何だろう？」と題して，「…カメラバッグを探し始めたのだが、なかなかカジュアルにもフォーマルにも使えるバッグが見つからない。まあ、フォーマルに使うことなんていうのは冠婚葬祭ぐらいしかないのだが、できればいかにも『カメラが入っています』というバッグでない方が良い。…キャンバス地のバッグ素材のいくつかのメーカーに行き着いたが、どれもが厚みが大きいのがどうも気に入らない。そんな候補のメーカーの中で、ビリンガムはスマートであった。」の記載がある。 
（ク）「アルティザン＆アーティスト公式オンラインショップ」のウェブサイトにおいて，「カメラバッグ　スマートに収納できるスリムタイプ／ACAM-3000／商品番号　ACAM-3000／スマートに収納できるスリムタイプのカメラバックです。ビデオカメラやコンパクトやコンパクトカメラの収納にも最適です。かさばらないサイズなので街歩きにおすすめです。」の記載がある。
（ケ）「カメラのキタムラ」のウェブサイトにおいて，商品「ハクバ　ピクスギア　クラーヴォ　ショルダーバッグ　Ｓベージュ」について，「女性がスマートに持て、使いやすいカメラバッグ」の記載がある。 
（コ）「ＯＮＡ　Ｊａｐａｎ」のウェブサイトにおいて，「このショップについて」の見出しの下，「ＯＵＲ　ＢＲＡＮＤ／私たちＯＮＡは、今までにないカメラ・バッグを皆様へご提供するために、２０１０年夏に誕生しました。スタイルを意識した写真家の方々へ、カメラ機材を保護する優れた設計、優れたデザインを大切に、ひとつひとつ手作りしてお届けしています。すべてのＯＮＡ製品は、・・・最新の機能が融合した「アーバンスタイル」が特徴です。」及び「ＯＵＲ　ＰＨＩＬＯＳＯＰＨＹ／私たちは、優れたカメラ・バッグとは、スマートでかつ機能的でなければならない、と思っています。」の記載がある。 
　オ　請求人に係る商品「カメラリュック」での使用例 
（ア）「Ｎｉｋｏｎ」のウェブサイトにおいて，カテゴリー「ＨＯＭＥ＞製品情報＞ニコンオリジナルグッズ＞ニコンオリジナルグッズ−カメラバッグ／リュック製品一覧＞スマートカメラリュック」の下，「洗練されたデザインとアクティブに使える機動力が魅力の『スマートカメラリュック』」及び「主な特徴／質感の高いカラーを基調としたシンプルなデザインで、撮影機材へのクイックアクセスにこだわった携行性の高いカメラリュックです。」の記載とともに，カメラ用のリュックサックの写真が掲載されている。 
（イ）「ａｍａｚｏｎ．ｃｏ．ｊｐ」のウェブサイトにおいて，カテゴリー「家電＆カメラ＞カメラ＞アクセサリ＞カメラ用アクセサリ＞カメラバック・ケース」の下，「Ｎｉｋｏｎカメラリュック　スマートカメラリュック　１５．６Ｌ　ブラック　ＳＣＲ」の記載のほか，「商品の情報」欄には，「詳細情報」中の「種類」の項に「カメラリュック」の記載が，「カスタマーレビュー」欄には，「投稿者（略）投稿日２０１３／１２／３　Ａｍａｚｏｎで購入　リュックタイプのカメラバッグを探していてちょうどｎｉｋｏｎから出るというので買いました。」や「投稿者（略）投稿日２０１３／１２／１　【良いと思った点】（略）・リックの横からカメラの出し入れが出来ますが慣れれば楽そうです。・商品名に『スマート』って名乗ってるだけあって薄くみえます。」の記載とともに，カメラ用のリュックサックの写真が掲載されている。 
（４）判断 
　前記（３）認定事実によれば，本願商標の指定商品中のリュックサック関連商品を取り扱う商品「かばん類，袋物」の分野においては，一般にカメラバッグと総称されている，カメラ機材を保護，携行，整理等できるように工夫がなされたバッグ類が販売されており，その取引一般において，それらを「カメラバッグ」との総称以外にも，「カメラリュック」「カメラショルダーバッグ」「カメラウエストバッグ」「カメラトートバッグ」「カメラポーチ」等のように，カメラバッグの種類に応じた呼び分けもなされていること，とりわけ「カメラリュック」が，カメラ用のリュックサックを指称する語として普通に使用されていることが認められる。このことに照らすと，本願商標構成中の「カメラ」の語と「リュック」の語との結び付きは強いものといえる。 
　また，上記商品分野では，「スマート」の語は，前記２（２）に記載した語義どおり，「バッグの形状が細くすらりとして恰好がよい」や「バッグを身につけた姿が洗練されて粋なさま」程度の意味合いで普通に使用されており，さらに，そのような意味合いの下，例えば，「スマートリュック」，「スマートショルダーバッグ」及び「スマートバッグ」のように，「スマート」と「バッグの一般的名称ないしその略称」とを組み合わせて，「スマート○○（商品名）」と一連に表示することも普通に行われていることが認められる。 
　そうすると，上記商品分野における取引者・需要者は，本願商標が，「スマート」と「カメラリュック」との２語を結合したとの印象を受けるものと認められ，その結果，本願商標全体から「バッグの形状が細くすらりとして恰好のよいカメラリュック（カメラ用のリュックサック）」や「バッグを身につけた姿が洗練されて見えるカメラリュック（同）」程度の意味合いを容易に認識し得るものといえる。 
　なお，前記（３）オによれば，請求人に係る商品「カメラリュック」（カメラ用のリュックサック）における標章「スマートカメラリュック」との使用も，前記程度の意味合いを超えて，自らが使用し，又は，需要者に理解されているものとは認められないものである。 
　そうすると，「スマートカメラリュック」との標準文字からなる本願商標は，その指定商品中のリュックサック関連商品との関係においては，そのうちの「カメラ用リュックサック，同リュックサック用のストラップ，同リュックサック用肩掛けベルト」に使用しても，これに接する取引者・需要者は，前記程度の意味合いを認識するにとどまること，すなわち，単に商品の品質等を表示する語として理解するにとどまり，自他商品の識別標識とは認識し得ないというべきである。また，本願商標を前記商品以外のリュックサック関連商品について使用するときは，本願商標は，商品の品質について誤認を生じさせるおそれがある。 
　したがって，本願商標は，商標法第３条第１項第３号及び同法第４条第１項第１６号に該当する。
第４　審尋に対する意見
　前記第３の審尋に対し，請求人は何ら意見を述べるところがない。
第５　当審の判断
　前記第３の審尋において述べたとおりであって，本願商標は，商標法第３条第１項第３号及び同法第４条第１項第１６号に該当するものであるから，これを登録することはできない。
　よって，結論のとおり審決する。